【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
画像ブロックをイントラ符号化するための方法であって、
量子化パラメータ値を使用して前記画像ブロックのイントラ予測の残余の変換形態を量子化し、前記量子化された変換形態を符号化するステップと、
量子化パラメータ値を決定するために、すでに使用された量子化パラメータ値、対応する符号化コスト、および標的ビットレートを使用するステップであって、前記すでに使用された量子化パラメータ値および対応する符号化コストが、符号化される予定の画像ブロックとよく似ている、または符号化される予定の画像ブロックと同じ複雑度を有する前記画像ブロックを量子化するためにすでに使用されている、ステップと、
を含む、前記方法。
【請求項２】
前記対応する符号化コストが前記標的ビットレートを超えるかどうか判定するステップと、前記対応する符号化コストが前記標的ビットレートを超えない場合、前記すでに使用された量子化パラメータ値より大きくない前記量子化パラメータ値を決定するステップと、前記対応する符号化コストが前記標的ビットレートを超える場合、前記すでに使用された量子化パラメータ値より大きい前記量子化パラメータ値を決定するステップと、をさらに含む、請求項１に記載の方法。
【請求項３】
他のすでに使用された量子化パラメータ値および対応する他の符号化コストがさらに使用可能であり、使用可能な前記すでに使用された量子化パラメータ値のうち、一方は前記標的ビットレートを超える符号化コストに対応し、他方は前記標的ビットレートを超えない符号化コストに対応し、前記方法が、前記一方のすでに使用された量子化パラメータ値より大きく、前記他方のすでに使用された量子化パラメータ値より大きくない前記量子化パラメータ値を決定するステップをさらに含む、請求項１に記載の方法。
【請求項４】
前記すでに使用された量子化パラメータ値と前記他のすでに使用された量子化パラメータ値は、１だけ異なる、請求項３に記載の方法。
【請求項５】
前記符号化され量子化された変換形態を非一時的記憶媒体に記憶するステップをさらに含む、請求項１ないし４のいずれか一項に記載の方法。
【請求項６】
画像ブロックをイントラ符号化するためのデバイスであって、
量子化パラメータ値を使用して前記画像ブロックのイントラ予測の残余の変換形態を量子化するための量子化手段と、前記量子化された変換形態を符号化するための符号化手段と、を備え、
すでに使用された量子化パラメータ値および対応する符号化コストを記憶するための記憶手段であって、前記すでに使用された量子化パラメータ値が、符号化される予定の画像内の画像ブロックとよく似ている、または前記画像ブロックと同じ複雑度を有する少なくとも１つの前記画像ブロックを量子化するためにすでに使用されている、記憶手段と、
前記すでに使用された量子化パラメータ値および対応する符号化コストが記憶されていると決定するための決定手段と、をさらに備え、前記デバイスは、
前記すでに使用された量子化パラメータ値、前記対応する符号化コスト、および標的ビットレートを使用し、符号化される予定の画像内の画像ブロックの量子化パラメータ値を決定するように適合された処理手段を備える、前記デバイス。
【請求項７】
前記記憶手段は、他のすでに使用された量子化パラメータ値および対応する他の符号化コストを記憶するように適合され、前記処理手段は、前記他のすでに使用された量子化パラメータ値および前記他の対応する符号化コストをさらに使用し、前記量子化パラメータ値を決定するように適合される、請求項６に記載のデバイス。
【請求項８】
プログラムがコンピュータデバイス上で実行されたときに、請求項５に記載の方法に従った方法を実行するステップのプログラムコードの命令を有する非一時的記憶媒体。
【手続補正２】
【補正対象書類名】明細書
【補正対象項目名】００５７
【補正方法】変更
【補正の内容】
【００５７】
別の例示的な実施形態では、本発明は、よく似た連続するサブシーケンスの画像のマクロブロックを平均する際に使用される予定の平均量子化パラメータ値を決定するために使用される。
（付記１）
画像ブロックをイントラ符号化するための方法であって、処理手段を使用し、
量子化パラメータ値を使用して前記画像ブロックのイントラ予測の残余の変換形態を量子化し、前記量子化された変換形態を符号化するステップを含み、処理手段をさらに使用し、
すでに使用された量子化パラメータ値および対応する符号化コストが記憶手段内で使用可能であると決定するステップであって、前記すでに使用された量子化パラメータ値が、前記画像ブロックとよく似ている、または前記画像ブロックと同じ複雑度を有する他の画像ブロックを量子化するためにすでに使用されている、ステップと、
前記すでに使用された量子化パラメータ値、前記対応する符号化コスト、および標的ビットレートを使用し、前記量子化パラメータ値を決定するステップと、
を含む、前記方法。
（付記２）
前記対応する符号化コストが前記標的ビットレートを超えるかどうか判定するステップと、前記対応する符号化コストが前記標的ビットレートを超えない場合、前記すでに使用された量子化パラメータ値より大きくない前記量子化パラメータ値を決定するステップと、前記対応する符号化コストが前記標的ビットレートを超える場合、前記すでに使用された量子化パラメータ値より大きい前記量子化パラメータ値を決定するステップと、をさらに含む、付記１に記載の方法。
（付記３）
他のすでに使用された量子化パラメータ値および対応する他の符号化コストがさらに使用可能であり、使用可能な前記すでに使用された量子化パラメータ値のうち、一方は前記標的ビットレートを超える符号化コストに対応し、他方は前記標的ビットレートを超えない符号化コストに対応し、前記方法が、前記一方のすでに使用された量子化パラメータ値より大きく、前記他方のすでに使用された量子化パラメータ値より大きくない前記量子化パラメータ値を決定するステップをさらに含む、付記１に記載の方法。
（付記４）
前記すでに使用された量子化パラメータ値と前記他のすでに使用された量子化パラメータ値は、１だけ異なる、付記３に記載の方法。
（付記５）
前記他の画像ブロックは、前記画像ブロックである、付記１ないし４のいずれか一項に記載の方法。
（付記６）
前記符号化され量子化された変換形態を非一時的記憶媒体に記憶するステップをさらに含む、付記１ないし５のいずれか一項に記載の方法。
（付記７）
画像ブロックをイントラ符号化するためのデバイスであって、
量子化パラメータ値を使用して前記画像ブロックのイントラ予測の残余の変換形態を量子化するための量子化手段と、前記量子化された変換形態を符号化するための符号化手段と、を備え、
すでに使用された量子化パラメータ値および対応する符号化コストを記憶するための記憶手段であって、前記すでに使用された量子化パラメータ値が、前記画像ブロックとよく似ている、または前記画像ブロックと同じ複雑度を有する少なくとも１つの他の画像ブロックを量子化するためにすでに使用されている、記憶手段と、
前記すでに使用された量子化パラメータ値および対応する符号化コストが記憶されていると決定するための決定手段と、をさらに備え、前記デバイスは、
前記すでに使用された量子化パラメータ値、前記対応する符号化コスト、および標的ビットレートを使用し、前記量子化パラメータ値を決定するように適合された処理手段を備える、前記デバイス。
（付記８）
前記記憶手段は、他のすでに使用された量子化パラメータ値および対応する他の符号化コストを記憶するように適合され、前記処理手段は、前記他のすでに使用された量子化パラメータ値および前記他の対応する符号化コストをさらに使用し、前記量子化パラメータ値を決定するように適合される、付記７に記載のデバイス。
（付記９）
付記６に記載の方法に従ってイントラ符号化されたイントラ符号化済みの画像ブロックが記憶されている非一時的記憶媒体。
（付記１０）
付記１ないし５のいずれか一項に記載の方法に従ってイントラ符号化されたイントラ符号化済みの画像ブロックを復号するための処理デバイスの使用。